(57)【特許請求の範囲】
【請求項１】
前掛けにおいて、
各々が第１面及び第２面を有する２枚の裏返せるフラップであって、前記第１面は外に向けることが可能であり、前記第２面は外に向けることが可能であり、前記２枚の裏返せるフラップは、着用されるときに実質的に重なり上のフラップが下のフラップを実質的に覆うように設計されており、前記２枚の裏返せるフラップが、異なる保護面を提供する４つの異なる構成を与える、前記２枚の裏返せるフラップと、
前記２枚の裏返せるフラップを結合するネックブリッジであって、前記ネックブリッジは、２つの端部を有し、第１フラップが前記ネックブリッジの第１端部に取り付けられ、第２フラップが前記ネックブリッジの第２端部に取り付けられる、前記ネックブリッジと、
複数の構成において前記２枚の裏返せるフラップを互いに結合する為の留め具であって、一方のフラップが上のフラップとなる実質的に覆う位置で、前記２枚の裏返せるフラップを互いに確実に留める、前記留め具と、
を備える、前掛け。
【請求項２】
前記２枚の裏返せるフラップがほぼ丸い、請求項１に記載の前掛け。
【請求項３】
前記留め具は、磁石、フック及び鳩目、スナップ、フック及び環状留め具又はボタンのうちの一つ以上を備える、請求項１に記載の前掛け。
【請求項４】
前記第１面は、撥水性材料、磁性材料、柔らかい材料のうち、一つ以上から構成される、請求項１に記載の前掛け。
【請求項５】
前記２枚の裏返せるフラップ及び前記ネックブリッジは、単体の一体化された一片の材料から形成される、請求項１に記載の前掛け。
【請求項６】
前記２枚の裏返せるフラップは、実質的に同一形状である、請求項１に記載の前掛け。
【請求項７】
前記第１フラップは、第１材料を備え、前記第２フラップは、異なる第２材料を備える、請求項１に記載の前掛け。
【請求項８】
前記前掛けは、前記前掛けが着用されるときに前になり得る少なくとも３つの表面を有する、請求項１に記載の前掛け。
【請求項９】
形状保持材料から構成される端縁布を更に備える、請求項１に記載の前掛け。
【請求項１０】
前記留め具は、前記端縁布に沿って配置され、前記２枚の裏返せるフラップの第１フラップに関連した外周部を、前記２枚の裏返せるフラップの第２フラップに関連した他の外周部に結合させる、請求項９に記載の前掛け。
【請求項１１】
前記端縁布は、前記第１面及び前記第２面に関連した外周部に沿って縫付けられる、請求項９に記載の前掛け。
【請求項１２】
前記前掛けの前記構成は、前記面の一つが土で汚れたとき、前記前掛けがきれいに見えるように変更可能である、請求項１に記載の前掛け。
【発明の詳細な説明】
【技術分野】
【０００１】
[0001]本発明は衣類に関し、特に、前掛け（ｂｉｂ）に関する。
【背景技術】
【０００２】
[0002]従来の前掛けは、衣服を保護するのに有用である。しかしながら、従来の前掛けは、配置および固定が難しい場合が多いという点で問題があり、容易に抜き取られたり、引き抜かれたり、または別の方法で取り外されたりするとともに、保護用の表面が限られている。
【０００３】
[0003]従来の前掛けは、着用者（例えば、成人、子供、幼児、乳児など）の首の周りに配置して固定することが難しい。従来の前掛けは、通常、着用者に正面からあてがい、肩ひもまたは留め金を着用者の首の周りに巻き付け、着用者の首の後ろで留め具装置を係合させることによって着用者に固定する。多くの場合、従来の前掛けを前述したとおりに配置して固定しようとすると、着用者は、前掛けの装着に抵抗を示すのが一般的であり、あるいは、前掛けと格闘し始めたり、もてあそび始めたりして、結果的に、前掛けの装着が非常に難しく、時間がかかるものになる。さらに、従来の前掛けは、着用者による自らの取外しを妨げない。すなわち、従来の前掛けは着用者の後ろで固定されるので、着用者が前掛けを容易に下方へ引っ張ることができ、留め具を解除するのに十分な力を及ぼす場合がある。従来の前掛けが着用者によって容易に取り外されると、その結果は、衣服、着用者、周辺域、そして多くの場合、前掛けを洗浄するという無駄で時間のかかる労働となる可能性がある。最後に、従来の前掛けは、限られた表面しか衣服の汚れを防ぐことができない。従来の前掛けは、一旦使用されると、再び有効に使用可能になる前に、通常、洗浄または拭取りを必要とする。
【発明の概要】
【発明が解決しようとする課題】
【０００４】
[0004]したがって、従来技術の限界なしに衣服を保護する解決策が必要とされている。
【課題を解決するための手段】
【０００５】
[0005]次の詳細な説明と添付の図面に種々の例が示されている。
【図面の簡単な説明】
【０００６】
【図１】例示的な前掛けの分解斜視図を示す。
【図２Ａ】例示的な前掛けの代替図を示す。
【図２Ｂ】例示的な前掛けの別の代替図を示す。
【図３】例示的な前掛けの代替構成における図を示す。
【図４】例示的な前掛けの別の代替図を示す。
【図５】例示的な前掛けの端縁を示す。
【図６】例示的な前掛けのフラップの図を示す。
【図７】例示的な前掛けの斜視図を示す。
【図８Ａ】例示的な前掛けの代替構成における図を示す。
【図８Ｂ】例示的な前掛けの別の代替構成における図を示す。
【図９】例示的な前掛けの断面図を示す。
【図１０】例示的な前掛けの別の断面図を示す。
【図１１】例示的な前掛けの別の斜視図を示す。
【図１２Ａ】例示的な前掛けの代替構成における別の図を示す。
【図１２Ｂ】例示的な前掛けの別の代替構成における別の図を示す。
【発明を実施するための形態】
【０００７】
[0021]本発明の実施形態または実施例は、装置、システム、方法など、多数の仕方で実現され得るものである。以下、添付の図面とともに、１つ以上の実施形態の詳細な説明を提供する。詳細な説明は、そのような実施形態に関連して提供されているが、いかなる特定の実施形態にも限定されるものではない。本発明の範囲は特許請求の範囲によって限定されるが、多数の代替形態、変形形態および等価物が包含される。完全な理解を与えるために、以下の説明では、多数の特定の詳細が示されている。これらの詳細は例示の目的で提供されており、提供された記述が、これら特定の詳細の一部または全てなしで特許請求の範囲に従う実施のために使用されてもよい。明確化のために、実施形態に関連する技術分野において既知の技術内容は、不必要に説明を不明瞭にするのを避けるため、詳細には記述しないこととする。
【０００８】
[0022]ここで言う前掛けは、ネックブリッジまたは衿（以下「ネックブリッジ」）と結合された１枚以上のフラップまたはパネル（以下「フラップ」）を備え、各フラップが磁石または他の留め具を有し、１枚のフラップを別のフラップに固定するようになっている。幾つかの実施形態において、各フラップの１つ以上の内部ポケットまたは空間内に磁石が配置され、別の磁石の反対極に隣接して配置されると、磁力がフラップを互いに結合させ、前掛けを着用者の首の周りに固定させる。他の実施形態においては、複数の接点を設けてフラップを互いに固定させるために、多数の磁石が配置される。また、本明細書に記載されるような前掛けは、着用者の背後から装置区を開始して、着用者の衿または首の領域の周りにかけられ、結果的に、着用者の前または胸の領域にフラップを配置させることができる。他の実施形態において、記載された前掛けは、模様、機能、構造または実施態様において多様とすることができ、以下に述べる技術に限定されない。
【０００９】
[0023]図１は、例示的な前掛けの分解斜視図を示す。ここで、前掛け１００は、フラップ１０２〜１０５、磁石１０６〜１１２、ネックブリッジ１１４〜１１６、外面１１８、裏面１２０および布１２２を有するものとして分解図で示されている。この図に示すように、外面１１８は、フラップ１０２〜１０３と、ネックブリッジ１１４とを備えている。幾つかの実施形態においては、外面１１８と裏面１２０とが両面使用可能とされている。例えば、外面１１８が複数の磁石１０６〜１１２全体を覆うように置かれ、裏面１２０に結合されている場合、前掛け１００は、着用者を望ましくない物質（例えば、食物、液体など）との接触から保護するために最大４面（例えば、フラップ１０２〜１０５）を提供するように、色々な構成で使用されてもよい。さらにまた、前掛け１００は、丸ごと裏返されて、外面１１８および裏面１２０の裏面も使用可能とすることもできる。また、裏面１２０は、フラップ１０４〜１０５と、ネックブリッジ１１６とを備え、一例では、着用されたとき、前掛け１００の「後」側となる。
【００１０】
[0024]図示するように、フラップ１０２〜１０５は、ほぼ丸い形状であってもよい。他の実施形態においては、フラップ１０２〜１０５は、円形、正方形、矩形、三角形、放物線形もしくは他の幾何学的形状または構成を用いて実現され得る。図示するように、フラップ１０２はフラップ１０３と対称となっており、フラップ１０４はフラップ１０５と対称となっている。他の実施形態においては、フラップ１０２をフラップ１０３と非対称とし、フラップ１０４をフラップ１０５と非対称としてもよい。さらに他の実施形態においては、フラップ１０２〜１０５は、図示および記載したものとは違うように設計および実現されてもよい。図示するように、ネックブリッジ１１４〜１１６は、フラップ１０２をフラップ１０３に、そしてフラップ１０４をフラップ１０５に接続、結合または取り付けするように具現化されている。ネックブリッジ１１４〜１１６は、フラップ１０２〜１０５から独立した構成要素であってもよいし、単体の部材として一体化されていてもよい。例えば、フラップ１０２、フラップ１０３およびネックブリッジ１１４が、布など、一片の材料から形成されていてもよい。別の例として、フラップ１０２、フラップ１０３およびネックブリッジ１１４は、別々の材料から形成され、縫合、縫付け、縛り、編み、結び、糊付けまたは他の接続方法によって取付けまたは結合されてもよい。幾つかの実施形態においては、ネックブリッジ１１４〜１１６はテーパー状にされる。他の実施形態においては、フラップ１０２〜１０５およびネックブリッジ１１４〜１１６の形状と構成が、色々な形で実現されてもよく、図示および記載した実施形態に限定されない。
【００１１】
[0025]図示するように、磁石１０６〜１１２は、磁界または磁気吸引力を発生させるように構成されたいかなる材料から構成され得る。磁石１０６〜１１２は、いかなる磁界強度または強さを有していてもよい。幾つかの実施形態において、磁石１０６〜１１２は、丸みを帯びているが、円形、正方形、矩形、三角形であったり、他のいかなる幾何学的な形状または模様を用いて実現されたりしてもよい。他の実施形態において、磁石１０６〜１１２は、いかなる大きさ、寸法または形状であってもよく、図示および記載した実施形態に限定されない。幾つかの実施形態において、磁石１０６〜１１２は、縫合、縫付け、縛り、編み、結び、糊付けもしくは他のいかなる接続、結合もしくは接着の種類または方法によって（破線で示すように）外面１１８または裏面１２０に直接取り付けられても、結合されてもよい。幾つかの実施形態において、磁石１０６〜１１２が外面１１８と裏面１２０との間に配置されることで、前掛け１００と接触する可能性のある食物または他の物質にさらされることから磁石を保護することができる。洗浄される際に、磁石１０６〜１１２が、フラップ１０２〜１０５の１つ以上を互いに結合させる磁気吸引力を与えるように構成されていてもよい。また、磁石１０６〜１１２の配置は多様であってもよく、図示された実施形態に限定されない。例えば、磁石１０６〜１１２が、フラップ１０２〜１０５のそれぞれの上部の隅または下部の隅に配置されてもよい。別の例として、磁石１０６〜１１２は、フラップ１０２〜１０５の中心に、または外縁、上縁、下縁もしくは内縁に沿って配置されてもよい。さらにまた、磁石１０６〜１１２は、図示および記載した位置とは違う位置に配置されてもよい。他の実施形態において、外面１１８と裏面１２０との間に形成され、縫いによって境界を付けられた内部ポケット、または別の方法で囲まれた内部ポケット（図示せず）内に、磁石１０６〜１１２が配置されてもよい。幾つかの実施形態において、磁石１０６〜１１２は、フラップ１０２〜１０５を取外し可能に結合および固定させるように実現されたボタン、スナップ、ベルクロ（Ｖｅｌｃｒｏ：登録商標）、他の係合装置などのその他の留め具で置き換えられてもよい。また、幾つかの実施形態においては、留め具が使用されなくてもよい。他の実施形態において、磁石１０６〜１１２は違った形で具現化されてもよく、図示および記載した実施形態に限定されない。
【００１２】
[0026]幾つかの実施形態において、外面１１８、裏面１２０、フラップ１０２〜１０５およびネックブリッジ１１４〜１１６は、綿、テリー織、羊毛、絹、デニム、ポリエステル、ナイロン、様々な種類の混合繊維など、天然または合成繊維から作られたいかなる種類の布を使って具現化されてもよい。外面１１８、裏面１２０、フラップ１０２〜１０５およびネックブリッジ１１４〜１１６用に使用される材料は、磁性、防水性、耐水性、撥水性または吸水性とすることができる。また、外面１１８、裏面１２０、フラップ１０２〜１０５およびネックブリッジ１１４〜１１６は、磁性、防水性、耐水性もしくは撥水性のコーティングまたは仕上げで覆われていてもよい。例えば、着用者の皮膚に対して柔らかい、または擦りむかない面と、液体または他の物質を除去するのを支援する吸水性とを提供するように、裏面１１８用にテリー織が使用されてもよい。また、外面１１８、裏面１２０、フラップ１０２〜１０５およびネックブリッジ１１４〜１１６上に、シルクスクリーン、刺しゅう、布の織りの中へのパターンまたはデザインの形成など、いかなる種類の技術を用いて様々な種類の模様が配置されてもよい。一部の実施形態において、前掛けの「前」側（すなわち、外面１１８）と「後」側（すなわち、裏面１２０）が、同じ材料を使って実施されてもよい。他の実施形態において、前掛けの「前」側と「後」側が、異なる材料、同様の材料または材料の組合せを用いて具現化されてもよい。他の種類の布と模様が使用されてもよく、提示した実施形態に限定されない。
【００１３】
[0027]図示するように、外面１１８および裏面１２０には、フラップ１０２〜１０３をフラップ１０４〜１０５に、そしてネックブリッジ１１４をネックブリッジ１１６に結合させるように、布１２２が巻き付けられる。幾つかの実施形態において、布１２２は、綿、テリー織、羊毛、絹、デニム、ポリエステル、ナイロン、様々な種類の混合繊維など、いかなる天然または合成繊維から作られたいかなる種類の布であってもよい。幾つかの実施形態において、布１２２は装飾材料とされる。他の実施形態においては、布１２２は、でこぼこした端縁を覆って、前掛け１００の外周部周りに飾り縁を有する前掛け１００を付与してもよい。さらに他の実施形態において、布１２２は、バープクロスの役割をしたり、こぼれた食物、飲み物、絵の具または他のものを除去するのを助けたりするように構成された吸水性材料であってもよい。一部の実施形態において、布１２２は、フラップ１０２〜１０５またはネックブリッジ１１４〜１１６の外周部に対して形状を維持する支持を与えるように構成された硬質材料、半硬質材料または形状保持材料であってもよい。他の実施形態において、布１２２は、やはりフラップ１０２〜１０５およびネックブリッジ１１４〜１１６の形状を維持または保持するように構成された補強材（図示せず）を収めていてもよい。他の実施形態において、布１２２が違った構成にされたり、異なる目的を果たしたりしてもよく、記載した構成および実施品に限定されない。
【００１４】
[0028]幾つかの実施形態において、布１２２は、フラップ１０２〜１０５およびネックブリッジ１１４〜１１６用に使用された材料と同様か、またはほぼ同様の材料を使って具現化さてもよく、代わりに、フラップ１０２〜１０５用に使用されたものと異なる材料が使用されてもよい。図示するように、布１２２は、縫合、縫付け、縛り、編み、結び、糊付けまたは他の接続方法によって、フラップ１０２〜１０５またはネックブリッジ１１４〜１１６に取り付けられる。他の実施形態において、上述の要素が違った形で実現されてもよく、図示および記述した実施形態に限定されない。
【００１５】
[0029]図２Ａは、例示的な前掛けの代替図を示す。ここで、前掛け２００は、フラップ１０２〜１０３、磁石１０６〜１１２、ネックブリッジ２０２およびラベル２０４（例えば、使用者および介護者ラベル）を備えていてもよい。幾つかの実施形態において、フラップ１０２〜１０３は、図１に図示および記述したフラップ１０２〜１０３と機能および構造において同様またはほぼ同様に実施されてもよい。また、磁石１０６〜１１２は、図１に図示および記述した磁石１０６〜１１２と機能および構造において同様またはほぼ同様に実施されてもよい。さらにまた、ネックブリッジ２０２は、図１に図示および記述したネックブリッジ１１４〜１１６と機能および構造において同様またはほぼ同様に実施されてもよい。
【００１６】
[0030]図示するように、ラベル２０４は、フラップ１０２上に配置されているが、前掛け２００上のいかなる位置に配置されてもよい。他の実施形態において、ラベル２０４は、ネックブリッジ２０２、フラップ１０３、外面１１８、裏面１２０、フラップ１０４〜１０５（図１に図示）、または前掛け２００上の他のいかなる位置に配置されていても、取り付けられてもよい。一部の実施形態において、ラベル２０４は、縫合、縫付け、縛り、編み、結び、糊付けもしくは他のいかなる接続、結合もしくは接着の方法または種類によって前掛け２００に取り付けられても、接続されても、結合されてもよい。ラベル２０４は、いかなる布（例えば、綿、テリー織、羊毛、絹、デニム、ポリエステル、ナイロン、様々な種類の混合繊維などの天然または合成繊維）を使用して実施されてもよいし、いかなるサイズ、形状または色を使用して実施されてもよい。一部の実施形態において、ラベル２０４には、説明書、注意書、知的財産表示または他の種類の情報がいかなる言語で刷り込まれていてもよい。他の実施形態において、ラベル２０４が違った形で実施および構成されてもよく、提示された記載内容に限定されない。
【００１７】
[0031]一部の実施形態において、前掛け２００は、着用者が衣服または他の衣料品を土汚れ、汚れ、しみ、汚染または別の方法で損なうことを防止するように使用されてもよい。着用者（例えば、成人、子供、幼児、乳児など）が、飲食、絵画、線画などの間に前掛け２００を使用してもよい。前掛け２００は、使用者が飲食中に、食物、飲み物、吐出し物、唾液、嘔吐物などによって生じる可能性のあるしみから衣服を保護するように使用されてもよい。前掛け２００は、使用者が絵画または線画中に、絵の具、マーカー、クレヨン、ペン、鉛筆、インクなどによって生じる可能性のあるしみから衣服を保護するために使用されてもよい。例として、前掛け２００は、夕食中に子供にかけられて子供の衣服を覆い、ベビーフードが衣服に触れて衣服を汚すのを防止するようにしてもよい。他の実施形態において、前掛け２００が違った形で使用されてもよく、提示された記載に限定されない。
【００１８】
[0032]幾つかの実施形態において、前掛け２００は、着用者の首の周りに巻き付けることによって着用者の上部胴体を覆うように配置されてもよい。フラップ１０２〜１０３が重ね合わされ、着用者の上部胴体上に配置される一方、ネックブリッジ２０２が着用者の首の裏側の後ろに配置されてもよい。幾つかの実施形態において、磁石１０６〜１１２は、フラップ１０２をフラップ１０３に留めることによって前掛け２００の装着を確実にするように使用されてもよい。前掛け２００が上述したように装着された場合、着用者がフラップ１０２〜１０３を下方へ引っ張ることによって、前掛け２００を取り外したり、脱いだり、抜き取ったり、引き抜いたり、または別の方法で取り外したりすることができない。
【００１９】
[0033]幾つかの実施形態において、前掛け２００は、例えば、それぞれ異なる保護面を提供する４つの異なる構成で着用者上に装着されてもよい。例えば、前掛け２００は、フラップ１０３をフラップ１０２の上に重ねることによって、またはフラップ１０２をフラップ１０３の上に重ねることによって、外面１１８（図１に図示）が「外に」向いた状態で着用者上に装着されてもよい。別の例として、前掛け２００は、フラップ１０４（図１に図示）をフラップ１０５（図１に図示）の上に重ねることによって、またはフラップ１０５をフラップ１０４の上に重ねることによって、裏面１２０（図１に図示）が「外に」向いた状態で着用者上に装着されてもよい。提供された実施形態のそれぞれにおいて、磁石１０６〜１１２は、前掛け２００の装着を確実にするように使用されてもよい。他の実施形態において、磁石１０６〜１１２は、例示的な構成で上述したようにフラップ１０２〜１０５を固定するために使用され得る別の留め機構または技術（例えば、スナップ、ボタン、Ｖｅｌｃｒｏなど）によって置き換えられてもよい。
【００２０】
[0034]図示するように、磁石１０６〜１１２は、前掛け２００を上述したように留めて固定するように使用されるとよい。例えば、フラップ１０３は、フラップ１０２の前に重なり合って配置される一方、フラップ１０３をフラップ１０２に固定するために、磁石１０６が磁石１１０と揃えられて接合、ペアリング、または別の方法で結合（以下、これらを単に「結合」とも称する）され、磁石１０８が磁石１１２と揃えられて結合されてもよい。幾つかの実施形態において、磁石１０６〜１１２は、前掛け２００上に概ね図２Ａに示すように配置されてもよい。他の実施形態において、磁石１０６〜１１２は、前掛け２００上の他の位置に他の構成を使って配置されてもよく、図示および記述したような位置と構成に限定されない。他の実施形態において、前掛け２００および上述の要素が、違った形で実施されてもよく、図示および記述した実施形態に限定されない。
【００２１】
[0035]図２Ｂは、例示的な前掛けの別の代替図を示す。ここで、前掛け２１０は、フラップ１０２〜１０３、磁石１０６〜１１２、ネックブリッジ２０２およびラベル２０４（例えば、使用者および介護者ラベル）を備えていてもよい。前掛け２１０は、図２Ａに図示および記述した前掛け２００と機能および構造において同様またはほぼ同様に実施されてもよい。例として、前掛け２１０は、磁石１０６〜１１２の代わりの構成と位置を表している。一部の実施形態において、フラップ１０２〜１０３は、図１および図２Ａに図示および記述したフラップ１０２〜１０３と機能および構造において同様またはほぼ同様に実施されてもよい。また、磁石１０６〜１１２は、図１および図２Ａに図示および記述した磁石１０６〜１１２と機能および構造において同様またはほぼ同様に実施されてもよい。さらにまた、ネックブリッジ２０２は、図１に図示および記述したネックブリッジ１１４〜１１６および図２Ａに図示および記述したネックブリッジ２０２と機能および構造において同様またはほぼ同様に実施されてもよい。さらにまた、ラベル２０４は、図２Ａに図示および記述したラベル２０４と機能および構造において同様またはほぼ同様に実施されてもよい。
【００２２】
[0036]図示するように、磁石１０６〜１１２は、前掛け２１０を図２Ａで上述したように留めて固定するように使用されてもよい。例として、フラップ１０３がフラップ１０２の前に重なり合って配置される一方、フラップ１０３をフラップ１０２に固定するために、磁石１０６が磁石１１０と揃えられて結合され、磁石１０８が磁石１１２と揃えられて結合されてもよい。幾つかの実施形態において、磁石１０６〜１１２は、前掛け２１０上にほぼ図２Ｂに示すように配置されてもよい。他の実施形態において、磁石１０６〜１１２は、前掛け２１０上の他の位置に他の構成で配置されてもよく、図示および記述したような位置と構成に限定されない。他の実施形態において、前掛け２１０および上述の要素は、違った形で実施されてもよく、図示および記述した実施形態に限定されない。
【００２３】
[0037]図３は、例示的な前掛けの代替構成における図である。ここで、前掛け３００は、フラップ３０１〜３０２、ネックブリッジ２０２、ラベル２０４および磁石３０４〜３０６を備えていてもよい。一部の実施形態において、ラベル２０４は、図２Ａに図示および記述したラベル２０４と機能および構造において同様またはほぼ同様に実施されてもよい。また、磁石３０４〜３０６は、先に図１〜図２Ｂに図示および記載した磁石１０６〜１１２と機能および構造において同様またはほぼ同様に実施されてもよい。
【００２４】
[0038]図示するように、前掛け３００は、使用中の構成で、すなわち、着用者によって使用または着用されている際の位置で表されている。ここで、フラップ３０２がフラップ３０１の前に図示されており、フラップ３０２をフラップ３０１に固定するように、磁石３０４〜３０６が他のそれぞれの磁石（図示せず）と結合されている。あるいは、フラップ３０１がフラップ３０２の前に配置され、着用または別の形での使用中に、磁石３０４〜３０６の対で固定されてもよい。着用される際は、ネックブリッジ２０２が着用者の首の後ろに配置され、フラップ３０１〜３０２が、着用者の上部胴体上に装着されるまで着用者の首の回りに巻き付けられてもよい。記述した構成で着用または装着されるとき、ネックブリッジ２０２およびフラップ３０１〜３０２によって、開口または空間が形成されて包囲または閉鎖される。前掛け３００が着用されると、着用者の首が開口を通り抜けるか、または開口から突き出る。開口を着用者の首の周りに配置することによって、前掛け３００が着用者に固定または装着される。他の実施形態において、前掛け３００および上述の要素が、違った形で実施されてもよく、図示および記述した実施形態に限定されない。
【００２５】
[0039]図４は、例示的な前掛けの別の代替図を示す。ここで、前掛け４００は、フラップ４０２〜４０３と磁石４０４〜４１０を備えていてもよい。前掛け４００は、図２Ａ〜図３に図示および記述した前掛け２００〜２１０および前掛け３００と機能および構造において同様またはほぼ同様に実施されてもよい。一部の実施形態において、フラップ４０２〜４０３は、図１および図２Ａ〜図２Ｂに図示および記述したフラップ１０２〜１０３と機能および構造において同様またはほぼ同様に実施されてもよい。また、磁石４０４〜４１０は、図１および図２Ａ〜図２Ｂに図示および記述した磁石１０６〜１１２と機能および構造において同様またはほぼ同様に実施されてもよい。あるいは、磁石４０４〜４１０が、違った形で配置、構成、設計、形成または別の方法で実施されてもよい。例えば、磁石４０４および磁石４０８は、フラップ４０２の端縁が長期間の摩耗や洗濯のせいで折り重なり、結果として布の脆弱や布３００の構造的な応力を発生させることを防止するように配置されてもよい。他の実施形態において、前掛け４００および上述の要素が、違った形で実施されてもよく、図示および記述した例に限定されない。
【００２６】
[0040]図５は、例示的な前掛けの端縁を示す。この図に示すように、端縁５００は、布５０１、間隔５０２および縫い目５０４を備えている。一部の実施形態において、布５０１は、図１に図示および記述した布１２２と機能および構造において同様またはほぼ同様に実施されてもよい。端縁５００は、前掛け（例えば、前掛け１００（図１）、２００（図２Ａ）、２１０（図２Ｂ）、３００（図３）、４００（図４）など）の外縁または飾り縁を例示している。一部の実施形態において、端縁５００は、フラップ１０２〜１０５（図１に図示および記述）およびネックブリッジ１１４〜１１６（図１に図示および記述）の外周部全体の周りに配置されてもよい。他の実施形態において、端縁５００は、フラップ１０２〜１０５およびネックブリッジ１１４〜１１６の外周部の周りの限定位置に配置されてもよい。他の実施形態において、前掛け（例えば、前掛け１００（図１）、２００（図２Ａ）、２１０（図２Ｂ）、３００（図３）、４００（図４）など）の周りに端縁５００が設けられていなくてもよく、前掛けに美的、機能的、保護的または仕上げの特質を付与するために、前掛け（例えば、前掛け１００（図１）、２００（図２Ａ）、２１０（図２Ｂ）、３００（図３）、４００（図４）など）の外周部の周りに別の材料、構造または道具が使用されてもよい。さらに他の実施形態において、例えば、フラップ６０２を一緒に結合するために、代わりに縫付けを使用して、前掛けの縁または外周部から端縁５００が取り去られてもよい。
【００２７】
[0041]図示するように、布５０１は、縫合、縫付け、縛り、編み、結び、糊付けまたは他の接続方法によって、フラップ１０２〜１０５またはネックブリッジ１１４〜１１６に取り付けられる。ここで、縫い目５０４は、布５０１を前掛けの外周部に取り付けて固定している。幾つかの実施形態において、縫い目５０４が、布５０１の端縁から間隔５０２のところに配置されてもよい。他の実施形態において、間隔５０２は、１．２センチメートルとすることができる。さらに他の実施形態において、間隔５０２は多様であってもよく、いかなる特定の長さ、間隔または他の寸法にも限定されない。一部の実施形態において、縫い目５０４は、綿、羊毛、絹、ポリエステル、ナイロン、様々な種類の混合繊維など、天然または合成繊維の糸を使用して実施されてもよい。他の実施形態において、縫い目５０４が、違った形で構成されても、布５０１の端縁から別の間隔のところに設けられてもよい。さらに他の実施形態において、縫い目５０４が省かれ、布５０１が、違った手段または方法によって、前掛け（例えば、前掛け１００（図１）、２００（図２Ａ）、２１０（図２Ｂ）、３００（図３）、４００（図４）など）に取付け、接続または別の方法で結合（「結合」）されてもよい。他の実施形態において、上述の要素が違った形で実施されてもよく、図示および記述した例に限定されない。
【００２８】
[0042]図６は、例示的な前掛けのフラップの図を示す。ここで、フラップ６０２は、磁石６０４〜６０６と縫い目６０８を備えていてもよい。一部の実施形態において、フラップ６０２は、図１および図２Ａ〜図２Ｂに図示および記述したフラップ１０２〜１０３と機能および構造において同様またはほぼ同様に実施されてもよい。また、磁石６０４〜６０６は、図１および図２Ａ〜図２Ｂに図示および記述した磁石１０６〜１１２と機能および構造において同様またはほぼ同様に実施されてもよい。さらにまた、縫い目６０８は、図５に図示および記述した縫い目５０２と機能および構造において同様またはほぼ同様に実施されてもよい。他の実施形態において、より多い、より少ない、または異なる要素（例えば、磁石６０４〜６０６）が設けられて違った形で配置されてもよく、図示された例に限定されない。
【００２９】
[0043]図７は、例示的な前掛けの斜視図を示す。ここで、前掛け７００は、フラップ１０２〜１０３、磁石１０６〜１１２、ネックブリッジ１１４および布１２２を有する斜視図で示されている。一部の実施形態において、フラップ１０２〜１０３は、図１および図２Ａ〜図２Ｂに図示および記述したフラップ１０２〜１０３と機能および構造において同様またはほぼ同様に実施されてもよく、磁石１０６〜１１２は、図１および図２Ａ〜図２Ｂに図示および記述した磁石１０６〜１１２と機能および構造において同様またはほぼ同様に実施されてもよく、ネックブリッジ１１４は、図１に図示および記述したネックブリッジ１１４と機能および構造において同様またはほぼ同様に実施されてもよく、布１２２は、図１に図示および記述した布１２２と機能および構造において同様またはほぼ同様に実施されてもよい。他の実施形態において、上述の要素が違った形で実施されてもよく、図示および記述した例に限定されない。
【００３０】
[0044]図８Ａは、例示的な前掛けの代替構成における図を示す。ここで、前掛け８００は、フラップ１０３、磁石１０６〜１１２およびネックブリッジ２０２を備えていてもよい。一部の実施形態において、フラップ１０３は、図１および図２Ａ〜図２Ｂに図示および記述したフラップ１０３と機能および構造において同様またはほぼ同様に実施されてもよく、磁石１０６〜１１２は、図１および図２Ａ〜図２Ｂに図示および記述した磁石１０６〜１１２と機能および構造において同様またはほぼ同様に実施されてもよく、ネックブリッジ２０２は、図２Ａ〜図２Ｂに図示および記述したネックブリッジ２０２と機能および構造において同様またはほぼ同様に実施されてもよい。
【００３１】
[0045]図示するように、前掛け８００は、使用中の構成（すなわち、着用状態）で、すなわち、着用者によって使用または着用されている際の位置で表されている。ここで、フラップ１０３が「前」に図示され、磁石１０６が磁石１１０と接合（すなわち、結合）されており、磁石１０８が磁石１１２と接合されている。着用される際は、ネックブリッジ２０２が着用者の襟の後ろに配置され、前掛け８００が着用者の上部胴体上に固定されるまで、フラップ１０３が着用者の首の周りに巻き付けられてもよい。他の実施形態において、前掛け８００および上述の要素が、違った形で実施されてもよく、図示および記述した実施形態に限定されない。
【００３２】
[0046]図８Ｂは、例示的な前掛けの別の代替構成における図を示す。ここで、前掛け８０１は、フラップ１０２、磁石１０６〜１１２およびネックブリッジ２０２を備えていてもよい。一部の実施形態において、フラップ１０２は、図１および図２Ａ〜図２Ｂに図示および記述したフラップ１０２と機能および構造において同様またはほぼ同様に実施されてもよく、磁石１０６〜１１２は、図１および図２Ａ〜図２Ｂに図示および記述した磁石１０６〜１１２と機能および構造において同様またはほぼ同様に実施されてもよく、ネックブリッジ２０２は、図２Ａ〜図２Ｂに図示および記述したネックブリッジ２０２と機能および構造において同様またはほぼ同様に実施されてもよい。
【００３３】
[0047]図示するように、前掛け８０１は、使用中の代替構成で、すなわち、着用者によって使用または着用されている際の位置で表されている。ここで、フラップ１０２が「前」に図示され、磁石１０６が磁石１１０と接合されており、磁石１０８が磁石１１２と接合されている。他の実施形態において、前掛け８０１および上述の要素が、違った形で実施されてもよく、図示および記述した例に限定されない。
【００３４】
[0048]図９は、例示的な前掛けの断面図を示す。この図に示すように、断面図９００は、磁石１１２、外面１１８、裏面１２０、布１２２および縫い目５０４を含んでいる。一部の実施形態において、磁石１１２は、図１および図２Ａ〜図２Ｂに図示および記述した磁石１１２と機能および構造において同様またはほぼ同様に実施されてもよい。また、外面１１８は、図１に図示および記述した外面１１８と機能および構造において同様またはほぼ同様に実施されてもよく、裏面１２０は、図１に図示および記述した裏面１２０と機能および構造において同様またはほぼ同様に実施されてもよく、布１２２は、図１に図示および記述した布１２２と機能および構造において同様またはほぼ同様に実施されてもよい。さらにまた、縫い目５０４は、図５に図示および記述した縫い目５０４と機能および構造において同様またはほぼ同様に実施されてもよい。図示するように、磁石１１２が外面１１８と裏面１２０との間に配置されることで、磁石を外面１１８または裏面１２０と接触する可能性のある食物または他の物質にさらされることから保護できる。他の実施形態において、上述の要素が違った形で実施されてもよく、図示および記述した例に限定されない。
【００３５】
[0049]図１０は、例示的な前掛けの別の断面図を示す。この図に示すように、断面１０００は、磁石１０８、磁石１１２、外面１１８ａ、外面１１８ｂ、裏面１２０ａ、裏面１２０ｂ、布１２２ａ、布１２２ｂ、縫い目５０４ａおよび縫い目５０４ｂを含んでいる。一部の実施形態において、磁石１０８および磁石１１２は、図１および図２Ａ〜図２Ｂに図示および記述した磁石１０８および磁石１１２と機能および構造において同様またはほぼ同様に実施されてもよい。また、外面１１８ａおよび外面１１８ｂは、図１に図示および記述した外面１１８と機能および構造において同様またはほぼ同様に実施されてもよく、裏面１２０ａおよび裏面１２０ｂは、図１に図示および記述した裏面１２０と機能および構造において同様またはほぼ同様に実施されてもよく、布１２２ａおよび布１２２ｂは、図１に図示および記述した布１２２と機能および構造において同様またはほぼ同様に実施されてもよい。さらにまた、縫い目５０４ａおよび縫い目５０４ｂは、図５に図示および記述した縫い目５０４と機能および構造において同様またはほぼ同様に実施されてもよい。
【００３６】
[0050]図示するように、磁石１０８が外面１１８ｂと裏面１２０ｂとの間に配置され、磁石１１２が外面１１８ａと裏面１２０ａとの間に配置されてもよい。一部の実施形態において、縫い目によって境界を付けられて、または別の方法で囲まれて、外面１１８ｂと裏面１２０ｂとの間に形成された内部ポケット（図示せず）内に磁石１０８が配置され、外面１１８ａと裏面１２０ａとの間に形成された内部ポケット内に磁石１１２が配置されてもよい。他の実施形態において、縫合、縫付け、縛り、編み、結び、糊付けによって、または他のいかなる接続、結合もしくは接着の種類もしくは方法を使用して、磁石１０８が外面１１８ｂまたは裏面１２０ｂに直接または間接的に取付けまたは結合され、磁石１１２が外面１１８ａまたは裏面１２０ａに直接または間接的に取付けまたは結合されてもよい。他の実施形態において、上述の要素が違った形で実施されてもよく、図示および記述した例に限定されない。
【００３７】
[0051]図１１は、例示的な前掛けの別の斜視図を示す。ここで、前掛け１１００は、フラップ１１０２〜１１０３、磁石１０６〜１１２、ネックブリッジ１１４および布１２２を有する斜視図で示されている。一部の実施形態において、フラップ１１０２〜１１０３は、図１および図２Ａ〜図２Ｂに図示および記述したフラップ１０２〜１０３と機能および構造において同様またはほぼ同様に実施されてもよく、磁石１０６〜１１２は、図１および図２Ａ〜図２Ｂに図示および記述した磁石１０６〜１１２と機能および構造において同様またはほぼ同様に実施されてもよく、ネックブリッジ１１４は、図１に図示および記述したネックブリッジ１１４と機能および構造において同様またはほぼ同様に実施されてもよく、布１２２は、図１に図示および記述した布１２２と機能および構造において同様またはほぼ同様に実施されてもよい。この図に示すように、フラップ１１０２〜１１０３は、ほぼ矩形の形状であってもよい。他の実施形態において、フラップ１１０２〜１１０３は、円形、正方形、矩形、三角形、放物線形もしくは他の幾何学的形状または構成を用いて実施されてもよい。他の実施形態において、上述の要素が違った形で実施されてもよく、図示および記述した例に限定されない。
【００３８】
[0052]図１２Ａは、例示的な前掛けの代替構成における別の図を示す。ここで、前掛け１２００は、フラップ１２０３、磁石１０６〜１１２およびネックブリッジ２０２を備えている。一部の実施形態において、フラップ１２０３は、図１および図２Ａ〜図２Ｂに図示および記述したフラップ１０３と機能および構造において同様またはほぼ同様に実施されてもよく、磁石１０６〜１１２は、図１および図２Ａ〜図２Ｂに図示および記述した磁石１０６〜１１２と機能および構造において同様またはほぼ同様に実施されてもよく、ネックブリッジ２０２は、図２Ａ〜図２Ｂに図示および記述したネックブリッジ２０２と機能および構造において同様またはほぼ同様に実施されてもよい。
【００３９】
[0053]図示するように、前掛け１２００は、使用中の構成で、すなわち、着用者によって使用または着用されている際の位置で表されている。ここでは、フラップ１２０２〜１２０３は、ほぼ矩形の形で図示されている。また、フラップ１２０３が別のフラップ（例えば、フラップ１２０２）の「前」に配置されて図示され、磁石１０６が磁石１１０と接合されており、磁石１０８が磁石１１２と接合されている。着用される際は、ネックブリッジ２０２が着用者の襟の後ろに配置され、前掛け１２００が着用者の上部胴体上に固定されるまで、フラップ１０３が着用者の首の周りに巻き付けられてもよい。他の実施形態において、前掛け１２００および上述の要素が、違った形で実施されてもよく、図示および記述した例に限定されない。
【００４０】
[0054]図１２Ｂは、例示的な前掛けの別の代替構成における別の図を示す。ここで、前掛け１２０１は、フラップ１２０２、磁石１０６〜１１２およびネックブリッジ２０２を備えていてもよい。一部の実施形態において、フラップ１２０２は、図１および図２Ａ〜図２Ｂに図示および記述したフラップ１２０２と機能および構造において同様またはほぼ同様に実施されてもよく、磁石１０６〜１１２は、図１および図２Ａ〜図２Ｂに図示および記述した磁石１０６〜１１２と機能および構造において同様またはほぼ同様に実施されてもよく、ネックブリッジ２０２は、図２Ａ〜図２Ｂに図示および記述したネックブリッジ２０２と機能および構造において同様またはほぼ同様に実施されてもよい。
【００４１】
[0055]この図に示すように、前掛け１２０１は、使用中の代替構成で、すなわち、着用者によって使用または着用されている際の位置で表されている。ここで、フラップ１２０２が「前」に図示され、磁石１０６が磁石１１０と接合されており、磁石１０８が磁石１１２と接合されている。他の実施形態において、前掛け１２０１および上述の要素が、違った形で実施されてもよく、図示および記述した例に限定されない。
【００４２】
[0056]上述したように、大きさ、寸法または他の仕様が多様であってもよく、上述されたものに限定されない。大きさ、形状および方法の変種が実施されてもよく、上述の例も限定するように意図されていない。
【００４３】
[0057]上述の実施形態は、理解を明確にする目的で詳細に述べられたが、提供された詳細部に限定されない。実施のための多数の代替の方法および技術が存在する。開示された実施形態は、例示であって、限定的なものではない。
【図１】
0005654458.tif 000002
【図２Ａ】
0005654458.tif 000003
【図２Ｂ】
0005654458.tif 000004
【図３】
0005654458.tif 000005
【図４】
0005654458.tif 000006
【図５】
0005654458.tif 000007
【図６】
0005654458.tif 000008
【図７】
0005654458.tif 000009
【図８Ａ】
0005654458.tif 000010
【図８Ｂ】
0005654458.tif 000011
【図９】
0005654458.tif 000012
【図１０】
0005654458.tif 000013
【図１１】
0005654458.tif 000014
【図１２Ａ】
0005654458.tif 000015
【図１２Ｂ】
0005654458.tif 000016